(57)【特許請求の範囲】
【請求項１】
片面に透明電極膜を設けた上基板と、
片面に透明電極膜を設けた下基板と、
一主面にＸ方向の位置検出電極を２本対向させ、前記Ｘ方向の位置検出電極から外部取り出し電極まで引き出し電極を引き回して配置し、反対主面にＹ方向の位置検出電極を２本対向させ、前記Ｙ方向の位置検出電極から外部取り出し電極まで引き出し電極を引き回して配置し、前記Ｘ方向および前記Ｙ方向の位置検出電極の表面に金属粒子を含む導電性塗料を付着し、前記Ｘ方向および前記Ｙ方向の位置検出電極および引き出し電極と前記導電性塗料とに重畳して絶縁性の加熱溶解型接着層を両主面に形成した枠状のフレキシブル配線板を備え、
前記導電性塗料の前記金属粒子で前記加熱溶解型接着層を貫通して前記Ｘ方向あるいは前記Ｙ方向の位置検出電極と前記上基板あるいは前記下基板の前記透明電極膜とを電気的に接続し、
前記フレキシブル配線板の前記加熱溶解型接着層で前記上基板および前記下基板を一体に接着することを特徴とするタッチパネル。
【請求項２】
前記導電性塗料は前記Ｘ方向および前記Ｙ方向の位置検出電極の全表面を被覆し、前記加熱溶解型接着層は前記フレキシブル配線板全面を被覆することを特徴とする請求項１に記載のタッチパネル。
【請求項３】
前記導電性塗料は少なくとも銀とニッケルの金属粒子とバインダーとが混合されることを特徴とする請求項１に記載のタッチパネル。
【請求項４】
前記上基板に薄いガラス基板を用い、前記下基板に前記上基板より厚いガラス基板を用いることを特徴とする請求項１に記載のタッチパネル。
【請求項５】
厚さの異なる２枚のマザー基材の片面に透明電極膜を形成し、それぞれの前記マザー基材から個別のタッチパネルと略同じサイズの片面に前記透明電極膜を有する上基板と下基板に分割する工程と、
一主面にＸ方向の位置検出電極と引き出し電極を形成され、反対主面にＹ方向の位置検出電極と引き出し電極が形成され、前記Ｘ方向および前記Ｙ方向の位置検出電極の表面に金属粒子を含む導電性塗料を付着し、前記Ｘ方向および前記Ｙ方向の位置検出電極および引き出し電極と前記導電性塗料とに重畳して絶縁性の加熱溶解型接着層を両主面に形成した枠状のフレキシブル配線板を準備する工程と、
前記上基板と前記下基板の間にフレキシブル配線板を配置して加熱加圧して、前記フレキシブル配線板の前記加熱溶解型接着層を溶融して前記上基板と前記下基板の接着を行い、同時に前記導電性塗料に含まれた前記金属粒子を前記加熱溶解型接着層を貫通させて前記Ｘ方向あるいは前記Ｙ方向の位置検出電極と前記上基板あるいは前記下基板の前記透明電極膜とを電気的に接続する工程とを具備することを特徴とするタッチパネルの製造方法。
【請求項６】
前記マザー基材は厚さの異なるガラス板を用い、前記上基板あるいは前記下基板の大きさの略整数倍の大きさに設定されることを特徴とする請求項５に記載のタッチパネルの製造方法。
【請求項７】
前記上基板と前記下基板の間にフレキシブル配線板を配置して加熱加圧して、前記フレキシブル配線板の前記加熱溶解型接着層を溶融して前記上基板と前記下基板の接着する工程において、前記上基板、前記フレキシブル配線板および前記下基板を単に重ねるだけで位置合わせを省略することを特徴とする請求項５に記載のタッチパネルの製造方法。
【請求項８】
前記上基板と前記下基板の間にフレキシブル配線板を配置して加熱加圧して、前記フレキシブル配線板の前記加熱溶解型接着層を溶融して前記上基板と前記下基板の接着する工程において、前記上基板および前記下基板の前記フレキシブル配線板のある外周部分のみを加熱加圧して、前記加熱溶解型接着層を溶融して前記上基板と前記下基板の接着を行い、同時に前記導電性塗料に含まれた前記金属粒子を前記加熱溶解型接着層を貫通させることを特徴とする請求項５に記載のタッチパネルの製造方法。
【発明の詳細な説明】
【技術分野】
【０００１】
本発明は液晶や有機ＥＬ等のディスプレイ素子の上に配置されて、表示素子の表示内容に対応して指やペンを用いた押圧操作で情報を入力するタッチパネルおよびその製造方法に関する。
【背景技術】
【０００２】
タッチパネルには、上基板および下基板がともにガラス板からなるガラス−ガラス構造のタッチパネルと、上基板がフィルムで下基板がガラス板からなるフィルム−ガラス構造のタッチパネルとがある。ガラス−ガラス構造のタッチパネルは上基板を薄いガラス板で構成するので、経時変化が少なく高級感がある。しかし、薄いガラス板が高価であり、材料費も高く、フィルム−ガラス構造のタッチパネルに比べて高価になる。
【０００３】
まず、従来のガラス−ガラス構造のタッチパネルの製造方法について説明する。
【０００４】
特許文献１に示されるように、上基板および下基板に個別タッチパネルのほぼ１２個分の面積を有するガラス板からスタートする製造方法が開示されている。
【０００５】
図７に示すように、それぞれの２枚のガラス板に上基板と下基板に対応する素子区画５０を３行×４列のマトリクス状に形成し、各素子区画にＩＴＯ膜をフォトエッチングによりパターンニングして透明電極や位置検出電極５８ａを形成する。
【０００６】
次に、ガラス基板の透明電極が形成された面に、各素子区画５０にシール材をスクリーン印刷法等で印刷し、シール層５１を形成する。シール層５１には、その一部にシール材が印刷されていない開口部５２を形成し、その両端から列方向にもシール層を形成する。ガラス基板の内側周縁部に全ての素子区画５０を内側に囲い、シール層５１より所定の間隔をあけて外周シール層５３を形成する。
【０００７】
更に、２枚のガラス基板を所定の間隔に保持するために、一方のガラス基板に球状のドットスペーサーを多数配設する。ガラス基板とガラス基板を素子区画が互いに対向するように重ね合わせ、シール層および外周シール層を熱硬化等で接合し、個別タッチパネルを１２個作製し、開口部を封止部材で封止する。
【０００８】
更に、接合された一対のガラス基板を浸漬させ外側表面にエッチング処理を施し、所望の厚さのガラス基板を形成し、洗浄して付着した汚れ等を除去する。その後、ガラス基板を行方向切断線５４に沿って切断し、各行方向素子集合体をタッチパネル毎に切断する。
【０００９】
しかし、この製造方法では、ガラス基板に形成された透明電極膜を個別タッチパネルごとの透明電極にエッチングする工程が不可欠である。
【００１０】
特許文献２に示す製造方法では、図８に示すように、厚みが１．１ｍｍのソーダガラス板からなる下基板に、ＩＴＯ膜を成膜した後、エッチング加工によりパターンを形成し透明電極５６とする。透明電極には電気的に接続される位置検出電極５８ａと引き回し電極５８ｂを、銀ペースト膜を印刷、焼成して形成する。また下基板の下端部には、引き回し電極５８ｂと、外部取り出し電極６１を有するコネクタ６０とを接続するための仮端子５９を含むひさし部が形成される。
【００１１】
次に、透明電極５６の表面上に、フォトリソグラフィプロセスによりパターン形成し、ドットスペーサー５７を形成する。
【００１２】
その後、下基板の周辺部に上基板と下基板を貼り合わせるためのシール剤５１を印刷し、その一部にシール剤の開口部５２を設ける。
【００１３】
更に、厚みが０．２ｍｍのホウケイ酸ガラスからなる上基板に、下基板と同様に透明電極、位置検出電極および引き回し電極を形成する。上基板は、下基板のひさし部を露出するように下端部が切断される。従って、上基板の縦幅は、下基板の縦幅よりも短い。
【００１４】
更に、上基板および下基板の透明電極を互いに対向させ、下基板のシール剤５１に上基板を重ね合わせ上下基板とし、接着治具にセットして焼成する。
【００１５】
その後、徐冷工程を経て上下基板の周辺部がシール剤５１で貼着される。上基板の引き回し電極５８ｂも下基板に設けた仮端子５９と電気的に接続される。
【００１６】
そして、シール剤の開口部５２より約１．２気圧の空気を注入し、上基板を外側に膨らませ、シール剤の開口部５２を封止部材５５で封止する。
【００１７】
更に、下基板の仮端子５９にコネクタ６０の本端子を貼着し電気的に接続する。仮端子５９の一部はコネクタ６０の上方で露出されるので、ショートを防ぐためにフッ素樹脂でコーティングする。
【００１８】
しかし、この特許文献２に記載された製造方法でも、透明電極のエッチングとドットスペーサーの形成時にエッチングが必要である。また、上基板と下基板の隙間を所定の間隔に保持するために、開口部より空気を封入して上基板を外側に膨らませる工程も必要である。更に、下基板の仮端子とコネクタの本端子とを接続し、露出した接続個所を防湿のためにコーティングする工程も必要である。
【００１９】
続いて、従来のフィルム−ガラス構造のタッチパネルの製造方法について説明する。
【００２０】
特許文献３に示されるように、上基板には可撓性を有する透明絶縁基材を用い、下基板にはガラス板の透明絶縁基板を用いたタッチパネルである。
【００２１】
まず、ポリエチレンテレフタレートフィルムを上基板の透明絶縁基材として用い、その片面にＩＴＯ膜を形成し、酸などでエッチング処理を行いＩＴＯ膜の周縁部分を除去した後、シート状にカットして上基板とする。
【００２２】
次に、ガラス板を下基板の透明絶縁基材として用い、上基板と同様にＩＴＯ膜の形成、周縁部分の除去をした後に、ＩＴＯ膜状にフォトエッチングプロセスで微細なドットスペーサーを形成した後、シート状にカットして下基板とする。なお、下基板には、ガラス板の他に、透明樹脂板や透明フィルムを用いる。
【００２３】
更に、回路シートは、枠上の本体とその一辺において本体より２０ｍｍだけ枠外に外部接続部を一体的に突出してなる厚み２５μｍのポリイミドシートを絶縁基材として用い、その両面にその辺部に互いに平行に延びた一対のバスバーと引き回し回路を形成する。バスバーおよび引き回し回路は、導電性ペーストを使用しスクリーン印刷によって形成されたり、金属材料のみを使用しスパッタリング法やＣＶＤ法等により形成される。
【００２４】
更に、上基板と下基板をＩＴＯ膜の面を対向させ、その間に回路シートを挟み込み周縁部において両面テープからなる接着材料で貼り合せる。
【００２５】
しかし、上基板に可撓性を有する透明フィルムを用いたタッチパネルでは、上下基板の貼り合わせ工程において上基板に撓みが生じやすいため、上基板と下基板に形成した透明電極を絶縁するドットスペーサーの形成が必要となる。
【００２６】
従って、この特許文献３のタッチパネルでも、ＩＴＯ膜の周縁部分を除去するエッチングとドットスペーサーの形成するためのエッチング工程が必要である。
【００２７】
また、上述した特許文献１〜３に記載されているタッチパネルでは、上下基板の接着する領域と位置検出電極からの引き回し電極を配置する領域を重ならないように設計するのが明白である。
【先行技術文献】
【特許文献】
【００２８】
【特許文献１】特開２００６−０９９２４７号公報
【特許文献２】特開２００４−１１０７４８号公報
【特許文献３】特開２００４−２４０６６２号公報
【発明の概要】
【発明が解決しようとする課題】
【００２９】
上述したように、特許文献１〜３に示されるタッチパネルの構造においては、上下基板の接着する領域と位置検出電極からの引き回し電極を配置する領域を重ならないように設計するためにタッチパネルのタッチ領域の周辺額縁領域が広くなり、タッチパネルの小型化の障害となっている。
【００３０】
また、上述したように、特許文献１および特許文献２に示されるタッチパネルの製造方法においては、以下の問題点がある。
【００３１】
まず、特許文献１に示す従来のガラスーガラス構造のタッチパネルの製造方法では、ガラス板に個々のタッチパネルの透明電極や位置検出電極５８ａを形成するためのフォトエッチング工程が不可欠である。
【００３２】
また、上下基板の接着工程においては、上基板の位置検出電極と下基板の引き回し電極、あるいは下基板の位置検出電極と上基板の引き回し電極がそれぞれ重ならないように位置合わせをする必要があり、上下基板を接着する際に、下基板にシール剤を付着する工程と、下基板に対向して上基板を配置し接着する工程の２工程が必要となる。更に、この接着工程で各タッチパネルの中央部は接着治具により加熱、加圧されるため、薄い上基板が下基板側に窪むために、個別のタッチパネルに切断した後、シール剤の開口部５２より約１．２気圧の空気を注入し、上基板を外側に膨らませてから開口部５２を閉じる工程も必要となる。
【００３３】
このために、従来のガラスーガラス構造のタッチパネルの製造方法では、フォトエッチング工程のほかに多数の工程が必要となり、ガラスーガラス構造のタッチパネルの製造コストを押し上げていた。
【００３４】
一方、特許文献３に示す従来のフィルム−ガラス構造のタッチパネルの製造方法では、ロール状の透明フィルムにＩＴＯ膜を形成した後、予めカットラインの周辺のＩＴＯ膜を一定幅でフォトエッチングする工程やドットスペーサーを形成するフォトエッチング工程が不可欠である。
【００３５】
また、上下基板を接着する際に、位置検出電極の表面を露出させるように両面テープを位置合わせして設ける工程と、上下基板の間に回路シートを接着する工程の２工程が必要である。
【００３６】
このために、従来のフィルム−ガラス構造のタッチパネルの製造方法でもフォトエッチング工程は不可避であり、製造コストを押し上げていた。
【００３７】
このフォトエッチング工程は、図９に示すように、最初に基板を洗浄し汚れを除去して乾燥させた後、基板にフォトレジストを塗布してその表面を乾燥させ、その後パターンを露光、現像し、露光されない部分のフォトレジスト層を除去し、残存したフォトレジスト層をマスクとして塩酸および塩化第２鉄等の溶液でエッチングを行い、残存するフォトレジスト層を水酸化ナトリウム等の溶液に浸して剥離した後、基板の洗浄を行い薬品や汚れを除去するといった一連の多くの工程が必要となる。
【００３８】
これらの工程を有するエッチング設備は大きなガラス板(例えば、２４０ｍｍ×３８０ｍｍ)を流すために大きな設備スペースを必要とし、具体的には、約６０ｍ前後の長さが必要であり、またライン速度は約１８０ｃｍ／ｍｉｎ前後の時間を要する。このため、設備投資のコストを抑え、かつ最短工程数でのタッチパネルの製造を実現するために、エッチング工程のないタッチパネルの製造方法を確立することが望まれていた。
【課題を解決するための手段】
【００３９】
本発明は上述した従来の問題点に鑑みてなされ、片面に透明電極膜を設けた上基板と、片面に透明電極膜を設けた下基板と、一主面にＸ方向の位置検出電極を２本対向させ、前記Ｘ方向の位置検出電極から外部取り出し電極まで引き出し電極を引き回して配置し、反対主面にＹ方向の位置検出電極を２本対向させ、前記Ｙ方向の位置検出電極から外部取り出し電極まで引き出し電極を引き回して配置し、前記Ｘ方向および前記Ｙ方向の位置検出電極の表面に金属粒子を含む導電性塗料を付着し、前記Ｘ方向および前記Ｙ方向の位置検出電極および引き出し電極と前記導電性塗料とに重畳して絶縁性の加熱溶解型接着層を両主面に形成した枠状のフレキシブル配線板を備え、前記導電性塗料の前記金属粒子で前記加熱溶解型接着層を貫通して前記Ｘ方向あるいは前記Ｙ方向の位置検出電極と前記上基板あるいは前記下基板の前記透明電極膜とを電気的に接続し、前記フレキシブル配線板の前記加熱溶解型接着層で前記上基板および前記下基板を一体に接着することを特徴とする。
【００４０】
また、本発明は、前記導電性塗料は前記Ｘ方向および前記Ｙ方向の位置検出電極の全表面を被覆し、前記加熱溶解型接着層は前記フレキシブル配線板全面を被覆することを特徴とする。
【００４１】
更に、本発明は、前記導電性塗料は少なくとも銀とニッケルの金属粒子とバインダーとが混合されることを特徴とする。
【００４２】
更に、前記上基板に薄いガラス基板を用い、前記下基板に前記上基板より厚いガラス基板を用いることを特徴とする。
【００４３】
本発明は、厚さの異なる２枚のマザー基材の片面に透明電極膜を形成し、それぞれの前記マザー基材から個別のタッチパネルと略同じサイズの片面に前記透明電極膜を有する上基板と下基板に分割する工程と、一主面にＸ方向の位置検出電極と引き出し電極を形成され、反対主面にＹ方向の位置検出電極と引き出し電極が形成され、前記Ｘ方向および前記Ｙ方向の位置検出電極の表面に金属粒子を含む導電性塗料を付着し、前記Ｘ方向および前記Ｙ方向の位置検出電極および引き出し電極と前記導電性塗料とに重畳して絶縁性の加熱溶解型接着層を両主面に形成した枠状のフレキシブル配線板を準備する工程と、前記上基板と前記下基板の間にフレキシブル配線板を配置して加熱加圧して、前記フレキシブル配線板の前記加熱溶解型接着層を溶融して前記上基板と前記下基板の接着を行い、同時に前記導電性塗料に含まれた前記金属粒子を前記加熱溶解型接着層を貫通させて前記Ｘ方向あるいは前記Ｙ方向の位置検出電極と前記上基板あるいは前記下基板の前記透明電極膜とを電気的に接続する工程とを具備することを特徴とする。
【００４４】
また、本発明は、前記マザー基材は厚さの異なるガラス板を用い、前記上基板あるいは前記下基板の大きさの略整数倍の大きさに設定されることを特徴とする。
【００４５】
更に、本発明は、前記上基板と前記下基板の間にフレキシブル配線板を配置して加熱加圧して、前記フレキシブル配線板の前記加熱溶解型接着層を溶融して前記上基板と前記下基板の接着する工程において、前記上基板、前記フレキシブル配線板および前記下基板を単に重ねるだけで位置合わせを省略することを特徴とする。
【００４６】
更に、本発明は、前記上基板と前記下基板の間にフレキシブル配線板を配置して加熱加圧して、前記フレキシブル配線板の前記加熱溶解型接着層を溶融して前記上基板と前記下基板の接着する工程において、前記上基板および前記下基板の前記フレキシブル配線板のある外周部分のみを加熱加圧して、前記加熱溶解型接着層を溶融して前記上基板と前記下基板の接着を行い、同時に前記導電性塗料に含まれた前記金属粒子を前記加熱溶解型接着層を貫通させることを特徴とする。
【発明の効果】
【００４７】
構造上の効果は以下の通りである。
【００４８】
本発明に依れば、枠状のフレキシブル配線板の表裏面に、Ｘ方向あるいはＹ方向の位置検出電極を対向させて設け、位置検出電極から引き出し電極を引き回して配置し、位置検出電極および引き出し電極を被覆して枠状の幅に加熱溶解型接着層を形成したので、フレキシブル配線板全体を接着領域として利用でき、かかる位置検出電極の表面に金属粒子を含んだ導電性塗料を付着することで、金属粒子が加熱溶解型接着層を貫通して位置検出電極と透明電極膜を接続でき、接続領域を接着領域に重ねて配置できる。
【００４９】
これにより、フレキシブル配線板に枠状の幅全体の接着領域が確保できるので、上基板あるいは下基板の接着強度は大幅に向上する。その結果、位置検出電極や引き出し電極を形成する領域を接着領域内に形成できるので、フレキシブル配線板の枠状の幅を最小値に抑えることが可能となり、フレキシブル配線板の枠幅も狭小化が可能となり、上下基板の接着強度を十分に保ったタッチパネルの狭小額縁が実現できる。
【００５０】
また、金属粒子が加熱溶解型接着層を貫通して位置検出電極と透明電極膜とを接続する構造を採るので、位置検出電極と透明電極膜との電気的な接続は圧着による機械的な接続となり、確実な電気的接続が実現できる。
【００５１】
この結果、上下基板とフレキシブル配線板の最小構成要素でタッチパネルを実現できるので、高級なガラスーガラス構造のタッチパネルの価格を大幅に引き下げられる。
【００５２】
製造方法上の効果は以下の通りである。
【００５３】
本発明に依れば、透明電極膜をパターン形成のためのエッチングをすることなくマザー基材から個別タッチパネルと略同じサイズの片面に透明電極膜を有する上基板と下基板に切断する工程と、枠状の両面に位置検出電極と引き出し電極が形成され、位置検出電極の表面に金属粒子を含む導電性塗料を付着し、位置検出電極および引き出し電極を被覆して加熱溶解型接着層を形成した枠状のフレキシブル配線板を準備する工程と、フレキシブル配線板を上基板と下基板の間に配置し、上基板および下基板を加熱加圧して接着を行い、同時に導電性塗料に含まれた金属粒子を加熱溶解型接着層を貫通させて電気的に接続する工程の全３工程でタッチパネルの製造が可能となる。これにより、エッチング工程のない最小工程数でのタッチパネルの製造方法を確立できる。
【００５４】
また、ドットスペーサーの形成や、透明電極膜のパターン形成の工程が製造工程より除外されるので、一連の多くの工程を有するフォトエッチング工程が不要となり、工程数の大幅な削減や、それによる設備投資および製造のコストの大幅な減少に繋がる。
【００５５】
具体的には、多くの工程を有するエッチング設備を排除できる結果、約６０ｍあったエッチング設備のスペースを有効に利用でき、また、従来の製造方法では４２０秒要していた製造時間を半分以下の約１８０秒まで縮めることができる。
【００５６】
更に、上下基板とフレキシブル配線板の接着工程において、上基板、下基板およびフレキシブル配線板を略同じ大きさに形成しているので、上基板と下基板とその間にフレキシブル配線板をはさんで単に重ねるだけで位置合わせする必要はない。そして、上下基板から外周部分のみ加熱加圧して接着を行うため、上下基板とフレキシブル配線板とを一体に接着できる。この工程で同時に導電性塗料に含まれた金属粒子を加熱溶解型接着層を貫通させて、位置検出電極と透明電極膜を電気的に接続するので、接着と接続を単一の工程で実現できる。
【００５７】
更に、位置検出電極の上に導電性塗料を付着しているので、位置検出電極からのみ金属粒子が加熱溶解型接着層を貫通して透明電極膜と機械的に接触をするために、導電性塗料のあるところが自動的に位置検出電極となり、位置合わせは一切不要になるセルフアラインを実現できる。従って、従来のように位置検出電極の部分と接着層とを重ならないようにする必要性もなくなる。
【００５８】
更に、上下基板とフレキシブル配線板の接着工程において、上下基板をフレキシブル配線板のある外周部分のみ加熱加圧して接着を行うため、タッチパネルの中央部分は加熱加圧されないので、上基板のタッチ領域となる部分が下基板側に湾曲しない。これにより、上基板と下基板の隙間がフレキシブル配線板の厚みに保持されるので、従来の製造工程から空気の封入工程および開口部の封止工程も除外できる。
【００５９】
また、本発明に依れば、上基板と下基板の大きさを略同じサイズとし、マザー基材であるガラス板は個別タッチパネルの上基板あるいは下基板の大きさの略整数倍の大きさに設定される。フレキシブル配線板の枠の一部に外部取り出し電極を突出させ、上基板と下基板の間に配置させたので、従来のタッチパネルに設けていた下基板のひさし部が不要となる。これにより、ガラス板から上下基板をカットする際に上基板の一部をカットする必要がなくなり、マザー基材であるガラス板の廃棄をほぼゼロにできる。
【００６０】
以上に詳述する効果により、本発明の製造方法で製造されたガラスーガラス構造のタッチパネルでは高価な薄いガラス板を用いても製造工程数を最小限に低減できるのでフィルムーガラス構造のタッチパネルと十分に価格で対抗できるガラスーガラス構造のタッチパネルを実現できる大きな利点が生み出せる。なお、本発明の製造方法をフィルムーガラス構造のタッチパネルに応用しても同様に製造工程数を削減でき、コストを大幅に下げることもできる。
【図面の簡単な説明】
【００６１】
【図１】図１は本発明のタッチパネルを説明する平面図である。
【図２】図２（Ａ）は本発明の枠状のフレキシブル配線板の表面を説明する平面図であり、図２（Ｂ）はその断面図である。
【図３】図３（Ａ）は本発明の枠状のフレキシブル配線板の裏面を説明する平面図であり、図３（Ｂ）はその断面図である。
【図４】図４は本発明のタッチパネルの断面図である。
【図５】図５（Ａ）は本発明の枠状のフレキシブル配線板が接着される前の状態を説明する一部拡大断面図であり、図５（Ｂ）はその接着された後の状態を説明する一部拡大断面図である。
【図６】図６（Ａ）〜（Ｄ）は、本発明のタッチパネルの製造工程を説明する工程フロー図である。
【図７】図７は、従来のガラスーガラス構造のタッチパネルの製造方法を説明する平面図である。
【図８】図８は、従来のガラスーガラス構造のタッチパネルの製造方法を説明する平面図である。
【図９】図９は、一般的なフォトエッチング工程を説明するフロー図である。
【発明を実施するための形態】
【００６２】
図１〜図５を参照して本発明のタッチパネルの構造について説明する。
【００６３】
図１は本発明のタッチパネルを説明する平面図である。
【００６４】
本発明のタッチパネルは、片面に透明電極膜を設けた上基板と、片面に透明電極膜を設けた下基板と、一主面にＸ方向の位置検出電極を２本対向させ、前記Ｘ方向の位置検出電極から外部取り出し電極まで引き出し電極を引き回して配置し、反対主面にＹ方向の位置検出電極を２本対向させ、前記Ｙ方向の位置検出電極から外部取り出し電極まで引き出し電極を引き回して配置し、前記Ｘ方向および前記Ｙ方向の位置検出電極の表面に金属粒子を含む導電性塗料を付着し、前記Ｘ方向および前記Ｙ方向の位置検出電極および引き出し電極を被覆して加熱溶解型接着層を形成した枠状のフレキシブル配線板を備え、前記導電性塗料の金属粒子で前記加熱溶解型接着層を貫通して前記Ｘ方向あるいは前記Ｙ方向の位置検出電極と前記上基板あるいは下基板の透明電極膜とを電気的に接続し、前記加熱溶解型接着層で前記フレキシブル配線板を挟んで前記上基板および下基板を一体に接着することを特徴とする。
【００６５】
図１に示すように、タッチパネル１は、片面に透明電極膜２１を設けた下基板２０と、下基板の透明電極膜上に重ねた枠状のフレキシブル配線板３０と、フレキシブル配線板上に重ねた片面に透明電極膜１１を設けた上基板１０で構成されている。
【００６６】
上基板１０および下基板２０は、マザー基材であるガラス板２、３より略同じサイズに切り出したものである。具体的には、上基板１０および下基板２０のサイズは１９０ｍｍ×１２０ｍｍであり、ガラス板２、３のサイズは３８０ｍｍ×２４０ｍｍであるので、１枚のガラス板より上基板および下基板は４枚切り出せる。
【００６７】
ガラス板２、３は、上基板１０として厚みが０．２ｍｍの透明なガラス材を用い、下基板２０として厚みが１．１ｍｍの透明なガラスを用いる。それぞれのガラス板２、３の裏面には、透明電極膜１１、２１が形成されている。なお、ガラス板にフィルムではなくガラスを用いたことで、片面に形成した透明電極膜を上下基板の切り出しラインでエッチングしなくても、ダイヤモンドカッターでガラス板をダイシングし、各基板サイズに分割すると同時に透明電極膜を一緒に分割することができる。ただし、小型のタッチパネルの場合は上下基板１０、２０の周辺部の透明電極膜１１、２１を剥離防止のためにエッチング除去する場合もある。
【００６８】
なお、ここではマザー基材としてガラス板で説明をしているが、フィルムでも樹脂板でも本発明は適用できる。
【００６９】
フレキシブル配線板３０は、上基板および下基板のタッチ領域となる部分の外周を枠状に囲った形状であり、枠状部分は幅２．５ｍｍで全周を一定幅で形成され、その枠状部分の一部より幅２．５ｍｍ、長さ１５ｍｍに長方形状に突出した外部取り出し電極用の端子板３１が形成されている。フレキシブル配線板のベースフィルムには厚さ２５μｍのポリイミド樹脂を用いる。また、端子板３１の裏面には約１７５μｍ厚のポリイミド樹脂フィルムを貼り付けて、外部取り出し電極３６、３７の補強を行っている。なお、フレキシブル配線板については後述の図２および図３で詳細に説明をする。
【００７０】
Ｘ軸位置検出電極３２あるいはＹ軸位置検出電極３４は、フレキシブル配線板３０のベースフィルム上に銀ペーストなどをスクリーン印刷して形成される。フレキシブル配線板の一主面にはＸ軸の位置検出電極３２を２本対向させ、反対主面にはＹ軸の位置検出電極３４を２本対向させる。位置検出電極３２、３４の表面に導電性塗料４０が塗布される。具体的には、各位置検出電極は厚さ０．０１５ｍｍのＡｇ配線をスクリーン印刷により形成される。
【００７１】
導電性塗料４０は、銀とニッケル粒子４１とバインダーが混合されたものを用いる。
【００７２】
加熱溶解型接着層３９は、フレキシブル配線板のベースフィルム上であって、Ｘ軸およびＹ軸位置検出電極３２、３４と引き出し電極３３、３５に重畳して、フレキシブル配線板の枠状の幅に層状に形成される。加熱溶解型接着層にはホットメルト樹脂を用いる。
【００７３】
かかる導電性塗料４０は、加熱前の初期の状態では絶縁性の性質を有しており、一定の圧着条件のホットヒーターで加熱加圧することにより、バインダーが溶解して導電性の性質へと変化し、上下基板と接着されると同時に透明電極膜と導通される。なお、この接続動作原理については後述の図５で詳細に説明する。
【００７４】
Ｘ軸あるいはＹ軸の引き出し電極３３、３５は、位置検出電極３２、３４から引き回して配置され、位置検出電極と同時に、フレキシブル配線板３０のベースフィルム上に銀ペーストなどをスクリーン印刷によりＡｇ配線を施す。なお、引き出し電極は透明電極膜１１、１２と導通する必要がないので、その表面に導電性塗料４０を塗布する必要はなく、直接、絶縁性の加熱溶解型接着層３９で被覆されている。
【００７５】
Ｘ軸あるいはＹ軸の外部取り出し電極３６、３７は、フレキシブル配線板３０の端子板３１の裏面に並べて設けられ、位置検出電極と同様にベースフィルム上にスクリーン印刷によりＡｇ配線が施される。Ｘ軸の外部取り出し電極３６は、スルーホール電極３８を用いてＸ軸の引き出し電極３３に接続される。なお、端子板３１は上下基板１０、２０間から突出するので、突出部分には機械的な強度を持たせるためにＵＶ樹脂（図示せず）で補強する。
【００７６】
次に、図２および図３を用いて本発明のフレキシブル配線板の構造について説明する。図２（Ａ）は本発明の枠状のフレキシブル配線板の表面を説明する平面図であり、図２（Ｂ）はその断面図である。図３（Ａ）は本発明の枠状のフレキシブル配線板の裏面を説明する平面図であり、図３（Ｂ）はその断面図である。
【００７７】
図２（Ａ）に示すように、枠状のフレキシブル配線板３０の表面側には、右辺および左辺に沿ってＸ方向の位置を検出するためのＸ軸位置検出電極３２が２本設けられている。そして、Ｘ軸位置検出電極３２から枠状のフレキシブル配線板３０の周辺に沿って引き出し電極３３で引き回されて、枠の一部より突出した端子板３１の裏面に形成されたＸ軸の外部取り出し電極３６に接続される。なお、Ｘ軸の外部取り出し電極３６は端子板３１の裏面にあるため、スルーホール電極３８を用いて引き出し電極３３と接続される。
【００７８】
そして、Ｘ軸位置検出電極３２あるいはＸ軸引き出し電極３３に重畳して、枠状の幅に加熱溶解型接着層３９が形成される。加熱溶解型接着層には絶縁性の接着層を用い、フレキシブル配線板３０の枠状の部分にのみ形成される。従って、接着時に上下基板から突出して配置される仮端子３１には、加熱溶解型接着層を形成する必要はない。具体的には、加熱溶解型接着層３９にはホットメルト樹脂が用いられ、０．０３２５ｍｍの厚さで２．５ｍｍの幅の層が枠状のベースフィルムの表裏面に形成され、フレキシブル配線板３０の厚さｈ１としては０．０９０ｍｍとなる。
【００７９】
本発明のフレキシブル配線板３０は、枠状の幅全体に接着層を設けているため、十分な接着領域を確保できる。これにより、狭小額縁であっても上基板あるいは下基板とフレキシブル配線板との接着強度が大幅に増し、タッチパネルの押圧操作にも十分耐えうる接着強度を提供できる効果がある。
【００８０】
図２（Ｂ）の断面図は、図２（Ａ）のＸ−Ｘ線で示す部分に対応している。図に示すように、フレキシブル配線板のベースフィルムの表面にはＸ軸位置検出電極３２が形成され、ベースフィルムの裏面にはＹ軸の引き出し電極３５が形成されている。Ｘ軸位置検出電極３２の表面には、位置検出電極の形成幅に導電性塗料４０が塗布されており、導電性塗料４０の中には銀、ニッケル粒子４１、バインダーが混合されている。ニッケル粒子４１は導電性の性質を有するが、接着前の状態ではニッケル粒子はバインダーの層で覆われている。
【００８１】
そして、位置検出電極あるいは引き出し電極を重畳して、枠状の幅に、絶縁性の加熱溶解型接着層３９が形成されているため、フレキシブル配線板３０を上下基板の間に挟んだだけでは透明電極膜と位置検出電極とは導通しない。
【００８２】
なお、ここではベースフィルム表面のＸ軸位置検出電極３２とベースフィルム裏面のＹ軸引き出し電極３５の中心位置を一致させて配置した状態を図に示しているが、ベースフィルムに絶縁性の素材を用いているので、両者は絶縁されている。この場合には、Ｘ軸位置検出電極３２とＹ軸引き出し電極３５重ねているので接着強度を低下させることなく、両者をずらせて配置したときより更に狭小額縁のタッチパネルを実現できる。
【００８３】
図３（Ａ）に示すように、枠状のフレキシブル配線板３０の裏面側は、上述の表面側と同様に、上辺および下辺に沿ってＹ方向の位置を検出するためのＹ軸位置検出電極３４と引き出し電極３５が形成され、端子板３１の裏面に形成されたＹ軸の外部取り出し電極３７に接続されている。なお、Ｙ軸の外部取り出し電極３７は端子板３１の裏面にＸ軸の外部取り出し電極３６と並べて設けられている。
【００８４】
図３（Ｂ）の断面図は、図３（Ａ）のＹ−Ｙ線で示す部分に対応している。図に示すように、フレキシブル配線板のベースフィルムの表裏面には、位置検出電極あるいは引き出し電極に重畳して、枠状の幅に、加熱溶解型接着層３９が形成されている。なお、図２に示した枠状のフレキシブル配線板３０と図３に示した枠状のフレキシブル配線板３０とは裏返しをした関係にあるので、導電性塗料４０はいずれも上側にある。
【００８５】
なお、詳細については上述の表面側と同様であるので省略する。
【００８６】
次に、図４および図５を用いて、本発明の特徴である位置検出電極と透明電極膜の接続動作原理について説明する。図４は本発明のガラス基板を用いたタッチパネルの断面図である。図５（Ａ）は本発明の枠状のフレキシブル配線板が接着される前の状態を説明する一部拡大断面図であり、図５（Ｂ）はその接着された後の状態を説明する一部拡大断面図である。図４の断面図は、図１のＡ−Ａ線で示す部分に対応しており、図５（Ａ）、（Ｂ）の一部拡大断面図は、図４の点線で囲った部分に対応している。
【００８７】
図４に示すように、完成されたタッチパネル１の上基板１０と下基板２０はフレキシブル配線板３０の加熱溶解型接着層３９により十分な幅をもって強固に接着され、フレキシブル配線板の位置検出電極３２、３４と上下基板の透明電極膜１１、２１は確実に電気的に接続されている。
【００８８】
しかしながら、前述したように、フレキシブル配線板３０の表裏面は絶縁性の加熱溶解型接着層３９で覆われている。このため、図５（Ａ）に示すように、上下基板と接着される前の状態では、位置検出電極と透明電極膜の間に加熱溶解型接着層３９が存在し、導通していないことがわかる。かかる構造をしたフレキシブル配線板３０は、定められた圧着条件で加熱、加圧することにより、位置検出電極と透明電極膜が確実に接続できる。
【００８９】
ここで、図５（Ｂ）を用いて、その接続動作原理について説明する。
【００９０】
まず、定められた圧着条件で上基板１０と下基板２０の外周部を枠状にヘッドヒータで挟み込み（図６（Ｄ）参照）、加熱、加圧を行う。具体的には、圧着条件は１５０℃〜１６０℃の温度で１３秒間とする。
【００９１】
この圧着条件で加熱、加圧を行うと、導電性塗料４０中のバインダーは溶解してニッケル粒子４１が表面より突出する。また、位置検出電極３２、３４と透明電極膜１１、２１の間にある加熱溶解型接着層３９も加熱加圧により溶解し、圧縮される。そして、図５（Ｂ）に示すように、突出した硬質のニッケル粒子４１が加熱溶解型接着層３９を貫通し、位置検出電極と透明電極膜はニッケル粒子を介して確実に導通される。
【００９２】
このニッケル粒子４１は平均粒径が２０〜３０μｍの範囲で選ばれ、硬質のために加圧されてもそのままの形状を維持するので、加熱溶解型接着層３９を貫通する。銀はこのニッケル粒子４１の周囲に留まり、ニッケル粒子４１の隙間を埋めるので、位置検出電極と透明電極膜の接続をより確実に行う。
【００９３】
かかる接続動作原理を利用すれば、位置検出電極３２、３４と透明電極膜１１、２１は確実に電気的な接続ができ、一方、引き出し電極３３、３５と透明電極膜１１、２１は加熱溶解型接着層３９により確実に絶縁できる。その結果、従来のタッチパネルの製造では必要であった、上下基板の接着工程の前に位置合わせする工程を除外できる。すなわち、セルフアラインを実現できる。
【００９４】
また、位置検出電極と引き出し電極とを重ねて配置する場合は、ずらして配置した場合に比べて、圧着時に不要の力が段差部分に加わらないので断線の恐れも排除できる。
【００９５】
更に、加熱溶解型接着層３９は、上下方向からの加熱、加圧により圧縮された後、冷却されフレキシブル配線板３０の高さをｈ２に保つ。具体的には、加熱、加圧前のフレキシブル配線板３０の厚さ（ｈ１）は０．０９０ｍｍであるが、加熱、加圧により６０〜７０％まで圧縮され、その厚さ（ｈ２）は０．０５４〜０．０６３ｍｍとなる。
【００９６】
上下基板のギャップは、圧縮後のフレキシブル配線板３０の高さｈ２に維持されるため、従来のタッチパネルの構造では安定したギャップを保持するために必要であったドットスペーサーやスペーサー用のビーズを不用にでき、シール剤の一部に設ける空気封入用の開口部も不要にできる。
【００９７】
上述した構造のタッチパネルでは、タッチパネルのタッチ領域の任意の点を指またはペン等で押圧操作すると、その点において上基板の透明電極膜と下基板の透明電極膜とが接触してオン状態となる。この透明電極膜の抵抗値がフレキシブル配線板の位置検出電極で検出され、その点のＸ座標およびＹ座標を知ることができる。座標情報はフレキシブル配線板の各引き出し電極、外部取り出し電極を介して入力装置のＣＰＵへと送られ、座標情報に対応する処理が行われる。
【００９８】
なお、押圧操作を止めると上基板の透明電極膜と下基板の透明電極膜とが離れてオフ状態となり、座標情報に対応する処理は終了する。
【００９９】
次に、図６を参照して本発明の製造方法の一例について説明する。
【０１００】
図６は、本発明のガラス基板を用いたタッチパネルの各製造工程を説明する工程フロー図を示している。
【０１０１】
まず、図６（Ａ）、（Ｂ）に示すように、マザー基材であるガラス板２、３から上基板１０と下基板２０に分割する工程では、厚さの異なる２枚のガラス板２、３の片面全体に透明電極膜１１、２１となる酸化インジューム等を片面全体に蒸着してＩＴＯ膜を形成する。その後、ＩＴＯ膜をエッチングすることなく、それぞれのガラス板から個別のタッチパネルと略同じサイズの片面全体にＩＴＯ膜を有する上基板１０と下基板２０に分割する。
【０１０２】
ガラス板２、３は、上基板１０として厚みが０．２ｍｍの透明なガラス材を用い、下基板２０として厚みが１．１ｍｍの透明なガラス材を用いる。それぞれのガラス板２、３の片面全体には、透明電極膜１１、２１が形成されている。ガラス板２、３のサイズは、上基板１０および下基板２０の大きさの略整数倍の大きさに設定され、上基板１０と下基板２０とは略同じサイズになっている。具体的には、上基板１０および下基板２０のサイズは１９０ｍｍ×１２０ｍｍであり、ガラス板２、３のサイズは３８０ｍｍ×２４０ｍｍであるので、１枚のガラス板より上基板および下基板は４枚切り出せる。
【０１０３】
なお、上基板１０と下基板２０の大きさはタッチパネルの大きさに応じて適宜必要な寸法となる。
【０１０４】
上基板１０は、厚さ０．２ｍｍのガラス板２の透明電極膜１１をエッチングすることなく、片面全体に透明電極膜を残した状態で上基板１０のサイズに分割される。
【０１０５】
下基板２０も、厚さ１．１ｍｍのガラス板３の透明電極膜２１をエッチングすることなく、片面全体に透明電極膜を残した状態で下基板２０のサイズに分割される。
【０１０６】
本工程では、従来のタッチパネルのように、上基板および下基板の透明電極膜にＸ方向およびＹ方向の位置を検出する位置検出電極と、各位置検出電極から各基板の周辺に沿って引き出し電極とを形成する必要がないため、上基板および下基板の透明電極膜を透明電極のパターンにエッチングする工程が不要である。ただし、小型タッチパネルでは透明電極膜の剥離を防止するために上下基板１０、２０の周辺部分の透明電極膜をエッチング除去する場合がある。
【０１０７】
この結果、基板を洗浄し汚れを除去して乾燥させた後、基板にフォトレジストを塗布してその表面を乾燥させ、その後パターンを露光、現像し、露光されない部分のフォトレジスト層を除去し、残存したフォトレジスト層をマスクとして塩酸等の溶液でエッチングを行い、残存するフォトレジスト層を水酸化ナトリウム等の溶液に浸して除去した後、基板の洗浄を行い薬品や汚れを除去するといった一連の工程を含むフォトエッチング工程が除外できる。
【０１０８】
次に、フレキシブル配線板３０を準備する工程では、一主面にＸ方向の位置検出電極３２と引き出し電極３３が形成され、反対主面にＹ方向の位置検出電極３４と引き出し電極３５が形成され、かかる位置検出電極と引き出し電極に重畳して枠状幅に加熱溶解型接着層３９を形成した枠状のフレキシブル配線板であって、その枠の一部より突出した端子板３１に引き出し電極３３、３５を延在させて外部取り出し電極３６、３７を形成したフレキシブル配線板３０を準備する。なお、位置検出電極の表面には導電性塗料が塗布されている。
【０１０９】
フレキシブル配線板３０は、上基板および下基板のタッチ領域となる部分の外周を枠状に囲った形状であり、枠状部分は幅２．５ｍｍで全周を一定幅で形成され、その枠状部分の一部より幅２．５ｍｍ、長さ１５ｍｍに長方形状に突出した外部取り出し電極用の端子板３１が形成されている。端子板３１の裏面には約１７５μｍ厚のポリイミド樹脂フィルムを貼り付けて、外部取り出し電極３６、３７の補強を行っている。
【０１１０】
一主面に設けるＸ方向の位置検出電極３２と引き出し電極３３および反対主面に設けるＹ方向の位置検出電極３４と引き出し電極３５は銀ペーストを用いてスクリーン印刷により付着された後、焼成した銀配線として形成される。なお、外部取り出し電極３６、３７も同時にスクリーン印刷で形成される。その後、Ｘ方向の位置検出電極３２およびＹ方向の位置検出電極３４上に導電性塗料４０をスクリーン印刷し、枠状のフレキシブル配線板上に全体に加熱溶解型接着層３９を形成する。導電性塗料４０中のニッケル粒子４１が加熱溶解型接着層３９を貫通して透明電極膜１１、２１の位置検出電極として接触して働くので、フレキシブル配線板３０の位置検出電極３２、３４とは精度良く位置合わせをしなくても一部で重なり、電気的な接触があれば良い。
【０１１１】
なお、一主面に設けるＸ方向の位置検出電極３２と引き出し電極３３、反対主面に設けるＹ方向の位置検出電極３４と引き出し電極３５および外部取り出し電極３６、３７をフレキシブル配線板３０のベースフィルムの両面に設けた銅箔をエッチングし、その表面をニッケルメッキして形成しても良い。この場合もフレキシブル配線板３０はプリント基板製造メーカーから供給をされるので、タッチパネル製造メーカーではエッチング工程は不要であり、プリント基板製造メーカーでは銅箔のエッチングは既存の設備で行えるので工程設備での問題はない。
【０１１２】
なお、フレキシブル配線板の枠の一部より端子板を突出させたことで、従来のタッチパネルでは必要であった下基板の外部電極の接続部が不要となる。これにより、下基板のひさし部の形成が不要となり、ひさし部を露出するために上基板の一部をカットすることも不要になる。その結果、ガラス板から上基板および下基板を分割する際に、ガラス板の廃棄量をほぼゼロにできる。なお、ガラス板２、３の周辺部には欠けなどが発生するので、周辺部を数ｍｍ幅だけ除去する必要があり、この周辺部の切り落としが廃棄されるガラス板のすべてである。
【０１１３】
更に、図６（Ｃ）に示すように、上基板１０と下基板２０の接着を行う工程では、下基板２０の透明電極膜２１上であって、その外周部にフレキシブル配線板３０を重ね、更に上基板１０を重ねて配置し、フレキシブル配線板３０のある外周部分をプレートで加熱、加圧して、上基板１０とフレキシブル配線板３０と下基板２０の接着を行い、同時にＸ軸あるいはＹ軸位置検出電極３２、３４と透明電極膜１１、２１とを電気的に接続する。
【０１１４】
本工程では、上基板１０、フレキシブル配線板３０および下基板２０を単にそれらの外周部分を揃えて加熱治具４２内に配置する。そして、図６（Ｄ）に示すように、フレキシブル配線板３０が位置する上基板１０および下基板２０を選択的に溶解温度を有するヒータヘッド４３により一定時間加熱、加圧して固定し、上基板１０とフレキシブル配線板３０と下基板２０の接着を行うので、枠状のフレキシブル配線板３０のみが加圧され、タッチ領域となる中央部は加圧されない。これにより薄い上基板１０は外側に引っ張られるために上基板１０と下基板２０のギャップは略フレキシブル配線板３０の加熱溶解型接着層３９の厚みに規制される。このために上基板１０と下基板２０のギャップは従来用いていたドットスペーサーやスペーサー用のビーズを用いなくても形成でき、このギャップが維持できることで加熱溶解型接着層３９には従来の開口部を設けることも必要なくなる。
【０１１５】
本工程では、フレキシブル配線板３０の位置検出電極３２、３４および引き出し電極３３、３５に重畳して形成した加熱溶解型接着層３９が位置する部分をヒータヘッド４３で挟み、具体的には１５０℃〜１６０℃で１３秒加熱、加圧する。位置検出電極表面の導電性塗料４０中のバインダーと加熱溶解型接着層３９が溶解し、導電性塗料４０中のニッケル粒子４１が露出し、硬質のニッケル粒子が加熱溶解型接着層３９を貫通する。これにより、位置検出電極３２、３４と透明電極膜１１、２１はニッケル粒子４１及びその周辺の銀を介して電気的に接続する。
【０１１６】
なお、位置検出電極と透明電極膜は上述の接続動作原理により確実に接着されるので、位置合わせの工程が不要となり、セルフアラインを実現できる。
【符号の説明】
【０１１７】
１        タッチパネル
２        ガラス板
３        ガラス板
１０      上基板
１１      透明電極膜
２０      下基板
２１      透明電極膜
３０      フレキシブル配線板
３１      端子板
３２      Ｘ軸位置検出電極
３３      Ｘ軸引き出し電極
３４      Ｙ軸位置検出電極
３５      Ｙ軸引き出し電極
３６      Ｘ軸外部取り出し電極
３７      Ｙ軸外部取り出し電極
３８      スルーホール電極
３９      加熱溶解型接着層
４０      導電性塗料
４１      ニッケル粒子
４２      加熱治具
４３      ヒータヘッド
５０      素子区画
５１      シール層
５２      開口部
５３      外周シール層
５４      行方向切出線
５５      封止部材
５６      透明電極
５７      ドットスペーサー
５８ａ    位置検出電極
５８ｂ    引き回し電極
５９      仮端子
６０      コネクタ
６１      外部取り出し電極
【図１】
0005490522.tif 000002
【図２】
0005490522.tif 000003
【図３】
0005490522.tif 000004
【図４】
0005490522.tif 000005
【図５】
0005490522.tif 000006
【図６】
0005490522.tif 000007
【図７】
0005490522.tif 000008
【図８】
0005490522.tif 000009
【図９】
0005490522.tif 000010